(57)【要約】【目的】分割した各コア素子を円状に並べた状態で一体的な組付けを一度に簡単に行わせることができるようにするとともに、その組み付けられたステータコア９の剛性を充分に高めることができるようにする。【構成】アウターロータ型のステータコアにおけるヨーク部、磁極部および爪部からなる磁極単位に分割したコア素子をヨーク部分で相互に結合させて、複数のコア素子を円状に一体に組み付けるに際して、各コア素子におけるヨーク部の一方側に下方突出腕部を、その他方側に上方突出腕部をそれぞれ設けて、隣接するコア素子における各対向する下方突出腕部と上方突出腕部とが互いに円周方向に所定の範囲をもって移動可能に結合できるようにしたうえで、各コア素子を円状に並べて組み付けた状態で、下方突出腕部と上方突出腕部との結合部分に形成される穴にピンを圧入して一体に固定するようにした回転電機のステータコア。【選択図】      図５
2004289988.tif 000002
【特許請求の範囲】
【請求項１】
アウターロータ型のステータコアにおけるヨーク部、磁極部および爪部からなる磁極単位に分割したコア素子をヨーク部分で相互に結合させて、複数のコア素子を円状に一体に組み付けるようにした回転電機のステータコアであって、各コア素子におけるヨーク部の一方側に下方突出腕部を、その他方側に上方突出腕部をそれぞれ設けて、隣接するコア素子における各対向する下方突出腕部と上方突出腕部とが互いに円周方向に所定の範囲をもって移動可能に結合できるようにしたうえで、各コア素子を円状に並べて組み付けた状態で、下方突出腕部と上方突出腕部との結合部分に形成される穴にピンを圧入して一体に固定したことを特徴とする回転電機のステータコア。
【請求項２】
各コア素子を一体に組み付けたステータコアにおけるヨーク部分の両側に、外周面にバーリング加工が施され、内径の周面にリブが立てられたリテーナを共締めするようにしたことを特徴とする請求項１の記載による回転電機のステータコア。
【発明の詳細な説明】
【０００１】
【産業上の利用分野】
本発明は回転電機のアウターロータ型のステータコアに係り、特に分割構造による回転電機のステータコアに関する。
【０００２】
【従来の技術】
従来、図８に示すように、アウターロータ型のステータコアにおけるヨーク部１、磁極部２および爪部３からなる磁極単位のコア素子４に分割し、各コア素子４におけるヨーク部１の一方側に下向きのフック爪２４を、その他方側に上向きのフック爪２５をそれぞれ設けて、各隣接するコア素子を下向きのフック爪２４と上向きのフック爪２５との係合によって相互に結合させて、複数のコア素子を円状に一体に組み付けるようにしたものがある（特開２０００−５０５８３公報参照）。
【０００３】
また、従来、インナーロータ型のものではあるが、図９および図１０に示すように、各コア素子２１ごとに分割され、相互に凹凸部によって結合させて円形となるように組み付けられたステータコア２０を、そのヨーク部分の両側からリング状の円板からなるリテーナ２２で挟んで、各コア素子２１とリテーナ２２とを貫通するピン２３によって一体に固定するようにしたものがある（特開平１１−２３４９２８号公報参照）。
【０００４】
【発明が解決しようとする課題】
解決しようとする問題点は、従来のステータコアでは、各コア素子相互の結合がフック爪や凹凸部によって行わせるようにしているので、コア素子を１つずつ側方から嵌め込むようにして組み付けていかなければならず、その組付性が悪いものになっていることである。
【０００５】
また、各核素子が組み付けられたステータコアを、そのヨーク部分の両側からリング状の円板からなるリテーナで挟んで、各コア素子とリテーナとを貫通するピンによって一体に固定するのでは、その一体に固定されたステータコアのラジアル方向の剛性が余り良くなく、また、リテーナのたわみによってスラスト方向にずれが生じてしまうという問題がある。
【０００６】
【課題を解決するための手段】
本発明は、アウターロータ型のステータコアにおけるヨーク部、磁極部および爪部からなる磁極単位に分割したコア素子をヨーク部分で相互に結合させて、複数のコア素子を円状に一体に組み付けるようにした回転電機のステータコアにあって、分割した各コア素子を円状に並べた状態で一体的な組付けを一度に簡単に行わせることができるようにするべく、各コア素子におけるヨーク部の一方側に下方突出腕部を、その他方側に上方突出腕部をそれぞれ設けて、隣接するコア素子における各対向する下方突出腕部と上方突出腕部とが互いに円周方向に所定の範囲をもって移動可能に結合できるようにしている。
【０００７】
そして、特に本発明では、一体に組み付けられたステータコアのラジアル方向の剛性を確保するべく、各コア素子を組み付けることによって下方突出腕部と上方突出腕部との結合部分に形成される穴にピンを圧入して一体に固定するようにしている。
【０００８】
また、ステータコアをその両側からリテーナによって挟持するに際してリテーナのたわみによってスラスト方向にずれが生ずることがないようにするべく、各コア素子を一体に組み付けたステータコアにおけるヨーク部分の両側に、外周面にバーリング加工が施され、内径の周面にリブが立てられたリテーナを共締めするようにしている。
【０００９】
【実施例】
本発明による回転電機のステータコアにあっては、図１に示すように、ヨーク部１、磁極部２および爪部３からなる磁極単位のコア素子４に分割するようにしている。
【００１０】
そのコア素子４には、ヨーク部１の一方側の上段に下方突出腕部５が、その他方側の下段に上方突出腕部６がそれぞれ設けられている。
【００１１】
そして、下方突出腕部５には切り欠き７が、上方突出腕部６には切り欠き８がそれぞれ形成されており、図２に示すように、隣接するコア素子４における各対向する下方突出腕部５と上方突出腕部６とが互いに隣接方向（円周方向）に所定の範囲Ｄをもって移動可能に係合できるようになっている。
【００１２】
しかして、図３および図４に示すように、所定数のコア素子４をそれぞれの下方突出腕部５と上方突出腕部６とを円周方向に移動可能なように係合させて円状に並べた状態で、周囲から円の中心に向かって微小な力ｆを加えて円を小さくするように各コア素子４を動かすことにより、各隣接するコア素子４間における下方突出腕部５と上方突出腕部６とが結合状態となって、ステータコア９としての一体的な組み付けを一度に行わせることができるようになる。
【００１３】
その際、各隣接するコア素子４間における下方突出腕部５と上方突出腕部６とを結合させるための力は不要となり、ステータコア９としての一体的な組み付けを簡単に行わせることができ、その作業が飛躍的に向上する。
【００１４】
そして、本発明では、図５に示すように、各コア素子４を一体に組み付けることによって下方突出腕部５と上方突出腕６との結合部分に形成される穴１２にピン１３を圧入するようにしている。
【００１５】
したがって、各コア素子４間の結合部分に形成される穴１２にピン１３を圧入することによって各コア素子４間に円周方向に押し合う力が生じて、それが結合力となってステータコア９が一体に強固に結合されてステータコア９のラジアル方向の剛性が充分に確保される。
【００１６】
なお、図５に示すステータコア９には、円周上適宜間隔を空けた複数の箇所におけるコア素子４に、取付け穴１４があけられた取付座１５が一体的に形成されている。
【００１７】
また、本発明では、図６，図７に示すように、各コア素子４を一体に組み付けたステータコア９におけるヨーク部分の両側に、外周面にバーリング加工部１６が形成され、内径の周面にリブ１７が立てられたリテーナ１８を、ステータコア９にピン１３を圧入する際に、複数箇所において共締めするようにしている。
【００１８】
したがって、外周面に形成されたバーリング加工部１６および内径に立てられたリブ１７からなる構造によってリテーナ１８自体の剛性が向上し、ステータコア９をその両側から挟持するに際して、リテーナ１８のたわみによってステータコア９がスラスト方向にずれるようなことを有効に抑制できるようになる。
【００１９】
【発明の効果】
以上、本発明によれば、コア素子４をそれぞれの下方突出腕部５と上方突出腕部６とを円周方向に移動可能なように係合させて円状に並べた状態で、周囲から円の中心に向かって微小な力ｆを加えて円を小さくするように各コア素子４を動かすことにより、各隣接するコア素子４間における下方突出腕部５と上方突出腕部６とが結合状態となって、ステータコア９としての一体的な組み付けを一度に容易に行わせることができるようになる。
【００２０】
そして、各コア素子４の一体的な組付けが容易でありながらも、その下方突出腕部５と上方突出腕部６との結合部分に形成される穴１２にピン１３を圧入することによって、その組み付けられたステータコア９の剛性を充分に高めることができるという利点を有している。
【００２１】
また、本発明によれば、外周面にバーリング加工部１６を形成し、内径の周面にリブ１７を立てることによってたわみに対して充分な強度をもたせたリテーナ１８をそのステータコア９に装着することによって耐振動性を充分に発揮させることができるという利点を有している。
【図面の簡単な説明】
【図１】本発明による回転電機のステータコアに用いられるコア素子を示す平面図である。
【図２】隣接するコア素子が相互の上方突出腕部および下方突出腕部によって結合した状態を示す平面図である。
【図３】周囲から力を加えることによって複数のコア素子を一体に組み付けてステータコアを形成する際における複数のコア素子を円状に並べた状態を示す平面図である。
【図４】複数のコア素子が一体に組み付けられることによって形成された本発明による回転電機のステータコアを示す平面図である。
【図５】本発明によるコア素子を一体に組み付けることによって下方突出腕部と上方突出腕との結合部分に形成される穴にピンを圧入した状態を示す平面図である。
【図６】本発明のステータコアに対するリテーナの取り付け状態を示す正面図である。
【図７】図６に示すリテーナの平面図である。
【図８】従来の分割型のステータコアにおける隣接するコア素子の結合状態の一例を示す部分的な平面図である。
【図９】従来の分割型のステータコアの一例を示す平面図である。
【図１０】図９のステータコアにリテーナを装着した状態を示す正面図である。
【符号の説明】
１  ヨーク部
２  磁極部
３  爪部
４  コア素子
５  下方突出腕部
６  上方突出腕部
１２  穴
１３  ピン
１６  バーリング加工部
１７  リブ
１８  リテーナ
【図１】
2004289988.tif 000003
【図２】
2004289988.tif 000004
【図３】
2004289988.tif 000005
【図４】
2004289988.tif 000006
【図５】
2004289988.tif 000007
【図６】
2004289988.tif 000008
【図７】
2004289988.tif 000009
【図８】
2004289988.tif 000010
【図９】
2004289988.tif 000011
【図１０】
2004289988.tif 000012